(57)【要約】【課題】本発明は、第１及び第２スリットにより分離され給電または接地と共に放射の役目を果たす第１及び第２電極パターンを備え、前記第１電極パターンを第１スリットに対応する長さに延長させることによりそのパターン面積を大きくし、前記第２電極パターンとは第２スリットを通して連続的な共振長さを形成させたチップアンテナを提供する。【解決手段】本発明によるチップアンテナ３０は幅広い使用周波数帯域を確保できる。とりわけ、かかる広帯域特性はマルチバンド特性を具現する超広帯域特性にも発現され得る。また、本発明のチップアンテナ３０においては、スリットＳ１，Ｓ２の幅と電極パターン３４，３６の長さを変形させたり追加的なスリットまたはオープン領域を形成することにより周波数特性の調整が容易になる。【選択図】　　　図１
2004007345.tif 000002
【特許請求の範囲】
【請求項１】
相対向する第１及び第２主面と前記第１及び第２主面の間に形成された側面を有する誘電体ブロックと、
前記第１主面に形成される給電ポート領域から前記給電ポート領域に隣接した側面を介して前記第２主面まで延長された第１電極パターンと、
前記第１主面に形成される接地ポート領域から前記接地ポート領域に隣接した側面を介して前記第２主面まで延長された第２電極パターンとを含み、
前記第１主面において向き合った２辺を連結するオープン領域から成る第１スリットを形成して前記第１電極パターンの給電ポート領域と前記第２電極パターンの接地ポート領域とを電気的に分離し、前記第２主面上に前記第１スリットと同一方向に向き合った２辺を連結するオープン領域から成る第２スリットを形成して前記第１電極パターンと前記第２電極パターンとの間に電磁気的結合を形成することを特徴とする広帯域チップアンテナ。
【請求項２】
前記第１電極パターンは、前記第１スリットに接する端部の長さと前記第２スリットに接する端部の長さとが実質的に同一にするよう延長されることを特徴とする請求項１に記載の広帯域チップアンテナ。
【請求項３】
前記第２電極パターンは、前記第１スリットに接する端部の長さと前記第２スリットに接する端部の長さとが実質的に同一にするよう延長されることを特徴とする請求項１に記載の広帯域チップアンテナ。
【請求項４】
前記第１電極パターンの延長された長さ（Ｌ１）は前記第２電極パターンの延長された長さ（Ｌ２）と相異することを特徴とする請求項１に記載の広帯域チップアンテナ。
【請求項５】
前記第２スリットの幅を調整することにより前記チップアンテナの共振周波数特性を調節することを特徴とする請求項１に記載の広帯域チップアンテナ。
【請求項６】
前記第１電極パターンの延長された長さ及び／または前記第２電極パターンの延長された長さを調整することにより前記チップアンテナの共振周波数特性を調節することを特徴とする請求項１に記載の広帯域チップアンテナ。
【請求項７】
前記チップアンテナは、
前記第１または第２電極パターンに形成されて前記第１または第２電極パターンを二つの電極パターン領域に分離すべく少なくとも一つの追加的なスリットをさらに含むことを特徴とする請求項１に記載の広帯域チップアンテナ。
【請求項８】
前記追加的なスリットは、一端が第１スリットに連結され、他端が前記第１または第２電極パターンの形成された側面の一辺から開放されることを特徴とする請求項７に記載の広帯域チップアンテナ。
【請求項９】
前記追加的なスリットは一端が前記第２スリットに連結され、他端が前記第１または第２電極パターンが形成された側面の一辺を通して開放されることを特徴とする請求項７に記載の広帯域チップアンテナ。
【請求項１０】
前記追加的なスリットは前記第１または第２電極パターンにおいて前記第１スリットと同一方向に向き合った２辺に連結され、
前記第１または第２電極パターン領域は前記給電ポート領域または接地ポート領域を含む電極パターン領域と前記第２スリットと接する電極パターン領域とに分離されることを特徴とする請求項７に記載の広帯域チップアンテナ。
【請求項１１】
前記追加的なスリットは、前記第１または第２電極パターンの形成された側面に形成されることを特徴とする請求項１０に記載の広帯域チップアンテナ。
【請求項１２】
前記第１または第２電極パターンは、電極の形成されない少なくとも一つのオープン領域を有することを特徴とする請求項１または２に記載の広帯域チップアンテナ。
【請求項１３】
前記オープン領域のうち少なくとも一つは、一端が前記第１または第２電極パターン内部に含まれ、他端が前記第１または第２電極パターンと隣接した他側面から開放されることを特徴とする請求項１２に記載の広帯域チップアンテナ。
【請求項１４】
前記オープン領域は、前記第１主面または前記第２主面に形成されることを特徴とする請求項１２に記載の広帯域チップアンテナ。
【請求項１５】
前記オープン領域は、前記第１主面または前記第２主面と隣接した側面に延長されて形成されることを特徴とする請求項１４に記載の広帯域チップアンテナ。
【請求項１６】
前記オープン領域のうち少なくとも一つは、前記第１または第２電極パターン内に含まれることを特徴とする請求項１２に記載の広帯域チップアンテナ。
【請求項１７】
誘電体ブロックの上下面と前記上下面の間に対向する２側面全体に電極が形成され、前記誘電体ブロックの上下面各々には前記電極が形成されない他の２側面の各辺を連結する一つのスリットを形成して前記電極を第１電極パターンと第２電極パターンとに分離し、
前記誘電体ブロックの下面に形成されたスリットは少なくとも給電ポート領域と接地ポート領域とを電気的に分離し、前記誘電体ブロックの上面に形成されたスリットは前記第１電極パターンと前記第２電極パターンとの間をＥＭカップリングにより連結するための手段として提供されることを特徴とする広帯域チップアンテナ。
【発明の詳細な説明】
【０００１】
【発明の属する技術分野】
本発明は広帯域チップアンテナに関するもので、とりわけ給電または接地と共に放射の役割を同時に果たす第１電極パターンと第２電極パターンを備えた超広帯域チップアンテナに関するものである。
【０００２】
【従来の技術】
最近、移動通信端末機はより小型化、且つ軽量化されることが要求される。かかる要求に応えて移動通信端末機に採用される内蔵回路及び部品は漸次小型化され得る形態で開発されている。こうした流れは移動通信端末機の主要部品の一種であるアンテナにおいても同様である。移動通信端末機用アンテナは、かかる小型化に適した形態のチップアンテナであるＰＩＦＡ（Ｐｌａｎａｒ　Ｉｎｖｅｒｔｅｄ　Ｆ　ｔｙｐｅ　Ａｎｔｅｎｎａ）が主に用いられている。
【０００３】
かかる通常のＰＩＦＡ構造から成るアンテナ１１０は図９に示してある。図９に示す如く、従来のＰＩＦＡ１１０は、平板矩形の放射パッチ１１２と前記放射パッチ１１２の一部に連結された短絡ピン１１４と給電ピン１１６が形成された誘電体ブロック１１１とから成る。該アンテナ構造は、給電ピン１１６と放射パッチ１１２との電気的連結（またはＥＭ（Ｅｌｅｃｔｒｏ−Ｍａｇｎｅｔｉｃ）給電方式）により放射パッチ１１２に給電し、放射パッチのうち一部を接地部（図示せず）に電気的に短絡させてアンテナ共振周波数及びインピーダンスマッチングを合わせるよう設計される。図９に示すＰＩＦＡは、給電ピン１１６により電流を所定周波数帯域で共振する電気的長さを有する放射パッチ１１２において誘起させる方式を作動させるようになる。
【０００４】
【発明が解決しようとする課題】
ところで、前記ＰＩＦＡ構造はその周波数帯域幅も狭小となる構造的問題を抱えている。図９のＰＩＦＡ構造から具現されたチップアンテナの狭帯域幅特性を考察するために、図１０に示すブルートゥース帯域用チップアンテナの一形態におけるＶＳＷＲ特性グラフを参照する。図１０によると、一般にＰＩＦＡ構造のブルートゥース帯域用チップアンテナはＶＳＷＲが２：１以下の周波数帯域が２．３４〜２．５２ＧＨｚに亙って約１８０ＭＨｚ帯域幅を有する。これはブルートゥース帯域（約２．４〜２．４８ＧＨｚ）を満足させる帯域幅を有するように見えるが、実はそうでない。即ち、実際のアンテナ周波数帯域はアンテナが実装される移動通信端末機セットの形状に応じて変化し、とりわけ人体との接触など移動通信端末機の使用環境により周波数帯域が歪む問題が生じる為、結局所望の周波数帯域で作動させるのに充分な使用周波数帯域を有することができない。かかる実質的に狭い使用周波数帯域幅に関する問題は小型化されたチップアンテナが抱える大きな欠点である。
【０００５】
かかる欠点を解決すべくチップアンテナの設計時に共振周波数とインピーダンスのシフティング（ｓｈｉｆｔｉｎｇ）を考慮してアンテナを製造しなければならないので、開発期間が長引き製造費用が上昇するという問題もある。さらに、かかる狭帯域幅特性を解決するための方案として、アンテナにチップ型ＬＣ素子のようなディストリビューション回路を追加的に連結してインピーダンスマッチングを調整することでやや広い周波数帯域を得られる。しかし、このようにアンテナ周波数の調節に外部回路を介入させる方法はアンテナ効率を低下させる他の問題を引き起こす。他方、広帯域特性を実現すべくアンテナ寸法を増加させる方案も考えられるが、これはむしろチップアンテナが有する小型化の特性を害する結果をもたらすので好ましき解決方案ではない。したがって、当技術分野においては、平面逆Ｆアンテナが有する小型化などの利点を維持しながら多様な周波数帯域において使用可能で、狭帯域幅特性を改善した新たなＰＩＦＡ構造が要求されてきた。
【０００６】
本発明は、このような従来の課題に鑑みてなされたものであり、その目的は、誘電体ブロックにおいて相対向する第１及び第２主面とその間の２側面に電極を形成して前記第１及び前記第２主面に一つずつスリットを形成し、該電極を給電ポート領域を含む第１電極パターンと接地電極を含む第２電極パターンとに分離した構造から成るチップアンテナを提供することにある。
【０００７】
【課題を解決するための手段】
上記目的を達成するために、本発明は、相対向する第１及び第２主面と前記第１及び第２主面の間に形成された側面を有する誘電体ブロックと、前記第１主面の給電ポート領域からその隣接側面を経て前記第２主面まで延長された第１電極パターンと、前記第１主面の接地ポート領域からその隣接側面を経て前記第２主面まで延長された第２電極パターンとを含み、前記第１主面において向き合った２辺を連結するオープン領域から成る第１スリットを形成し前記第１電極パターンの給電ポート領域と前記第２電極パターンの接地ポート領域とを電気的に分離し、前記第２主面上に前記第１スリットと同一方向に向き合った２辺を連結するオープン領域から成る第２スリットを形成し前記第１電極パターンと前記第２電極パターンとの間に電磁気的結合を形成するチップアンテナを提供する。本発明の一実施の形態においては、前記第１及び／または第２電極パターンを前記第１スリットに接する端部の長さと前記第２スリットに接する端部の長さとが実質的に同じになるよう延長することもできる。本発明によるチップアンテナは共振周波数特性を調節するための多様なチューニング要素が適用され得る。基本的に前記第１電極パターンの延長された長さ（Ｌ１）と前記第２電極パターンの延長された長さ（Ｌ２）とを異ならせて共振周波数特性を調節でき、異なる視点からは前記第２スリットの幅を調整することにより前記チップアンテナの共振周波数特性を調節することができる。
【０００８】
さらに、本発明の他の実施の形態においては、前記チップアンテナは前記第１または第２電極パターンに形成され該第１または第２電極パターンを二つの電極パターン領域に分離すべく少なくとも一つの追加的なスリットをさらに含むこともできる。また、かかるスリットの位置及び形態を異ならせることにより共振周波数特性の変化を図れる。本発明のさらに異なる実施の形態においては、前記第１または第２電極パターンに少なくとも一つのオープン領域を形成することもできる。かかるオープン領域も共振周波数及びインピーダンスなどのアンテナ特性を調節する機能を働く。
【０００９】
このように本発明の主な特徴は、第１主面の給電ポート領域から延長され第２主面の一領域に至る第１電極パターンと第１主面の接地ポート領域から延長され第２主面の他領域に至る第２電極パターンを形成すべく前記第１及び第２主面に各々第１及び第２スリットを形成することにより前記第１及び第２電極パターンが各々給電と接地の役割を果たすと同時に広い電極面積を通して自体的に放射でき、両電極パターンの間で給電及び放射が前記第１及び第２スリットを通して連続的に行われるよう構成することにより広帯域チップアンテナを具現することにある。
【００１０】
【発明の実施の形態】
以下、図面に基づき本発明の構成と作用を詳細に説明する。図１は本発明の一実施の形態によるチップアンテナ３０を示す概略斜視図である。図１によると、チップアンテナ３０は第１主面３１ａと第２主面３１ｂを有する誘電体ブロック３１から成る。前記誘電体ブロック３１の第１及び第２主面３１ａ、３１ｂとその間で対向する２側面のほぼ全体に電極が形成され、その電極パターンは前記第１及び第２主面の向き合った２辺を各々連結する第１及び第２スリット（Ｓ１、Ｓ２）により第１電極パターン３４と第２電極パターン３６とに分離される構造から成る。また、前記第１電極パターン３４のうち第１主面３１ａに形成された部分は給電ポート領域３４ａを含み、前記第２電極パターン３６のうち第１主面３１ｂに形成された部分は接地ポート領域３６ａを含む。
【００１１】
本発明においてスリット（ｓｌｉｔ）という用語は両端の開放された構造から成る略ライン形態のオープン領域のことをいい、一端のみ開放されたり両端すべてが開放されないまま伝導パターン内に形成されたオープン領域を表わすスロット（ｓｌｏｔ）とは別の用語である。図１によると、本発明による前記第１電極パターン３４は、前記第１主面３１ａ上から前記第１スリット（Ｓ１）に沿って形成されたその第１電極パターン３４の長さが、前記第２主面３１ｂ上から前記第２スリット（Ｓ２）に沿って形成された前記第１電極パターン３４の長さと実質的に同一長さ（Ｌ３）に延長されて大面積を有するようになる。
【００１２】
また、図１におけるチップアンテナは誘電体ブロックの第１及び第２主面（３１ａ、３１ｂ）とその間の２側面全体に電極を形成した後、二つのスリット（Ｓ１、Ｓ２）を形成した構造と説明してもよい。このように、従来のＰＩＦＡ構造と異なる独特な構造から成るチップアンテナにおいては、第１電極パターン３４の給電ポート領域３４ａは外部回路と連結されて給電が行われ、前記第１電極パターン３４と第１及び第２スリット（Ｓ１、Ｓ２）により離隔された第２電極パターン３６は第１主面３１ａ上の接地ポート領域３６ａを通して外部接地部（図示せず）に接地される。この際、第１電極パターン３４はアンテナとしての給電の役割と同時に電極自体の大面積によりアンテナの放射役割の一部を行い、他方の放射役割は第２スリット（Ｓ２）において形成されたＥＭカップリングにより第１電極パターン３４と連結された第２電極パターン３６が果たす。
【００１３】
したがって、両電極パターン３４、３６の間の第１及び第２スリット（Ｓ１、Ｓ２）を通して連続的に給電及び放射が行われるので、同一の大きさのチップアンテナに比してずっと広い帯域幅を有することができる。より詳しく説明すると、第１電極パターン３４と第２電極パターン３６の長さ分だけ最も低い共振周波数が決定され、漸次高い共振周波数の場合には第２スリット（Ｓ２）に沿って連続的に共振が起こり、使用周波数帯域幅がずっと広く形成され得る。
【００１４】
図２は前述の図１０におけるアンテナと同一寸法（１５×７×６ｍｍ）の前記チップアンテナ３０のＶＳＷＲ特性を示すグラフである。前記チップアンテナは、第１及び第２主面とその間の２側面を通して誘電体ブロックを殆ど囲んだ全電極長さと、前記第１電極パターンと前記第２電極パターンとを分離するスリット構造により幅広い周波数帯域において共振する連続的な電気的長さを有することができる。こうして帯域幅が向上された結果を図２に示す。図１０と同様、アンテナの使用周波数帯域はＶＳＷＲ値を２．０以下に設定すると、本発明によるチップアンテナの帯域幅（約１．７２〜２．５３ＧＨｚ）は８１０ＭＨｚの広帯域特性を呈す。これから、図１０における従来のチップアンテナと比較すると、本発明においてはアンテナ寸法を増加させなくても実に５倍近く帯域幅を増大させられることがわかる。
【００１５】
さらに、図２によると、前記チップアンテナは最近の移動通信端末機のアンテナに要求される使用周波数帯域であるＫ−ＰＣＳ帯域（約１．７５〜１．８７ＧＨｚ）、ＵＳ−ＰＣＳ帯域（約１．８５〜１．９９ＧＨｚ）及びブルートゥース帯域（約２．４〜２．４８ＧＨｚ）などを全て含むことのできる超広帯域の実現を可能にする。また、かかる超広帯域特性は実質的にマルチバンド特性に発現させることもできる。したがって、従来のＰＩＦＡのように、放射パッチにＵ字形スロットを形成する複雑な設計方法によらずにマルチバンド特性を得られる更なる利点がある。
【００１６】
さらに、本発明のチップアンテナにおいては、電極パターンの長さや幅や高さはもちろん第１及び第２スリットの形成位置や幅を変化させることにより共振周波数及び帯域幅を調節することができる。図３ないし５は本発明のチップアンテナにおける各スリット幅または電極パターン長さの変更に応じたＶＳＷＲ特性の変化を示すグラフである。
【００１７】
図１と共に図３ないし４に基づいて、各スリット幅と電極パターン長さの変化に伴う共振周波数及び帯域幅の変化を考察する。先ず、図１のチップアンテナにおいて第２スリットの幅（Ｇ２）を増加させながら第１電極パターンの長さ（Ｌ１）を減少させたチップアンテナは、図３に示すように約１．６５〜２．４５ＧＨｚ帯域を有するＶＳＷＲ特性を示す。即ち、点線で表示した図１のチップアンテナ特性と比較すると、周波数帯域が約１００ＭＨｚほど低周波帯域に移動しながら、インピーダンスサークルは減少することがわかる。
【００１８】
また、第２スリットの幅（Ｇ２）を増加させながら第２電極パターンの長さ（Ｌ２）を減少させる場合には、図４のグラフに示すように周波数帯域が１．９３〜２．４５ＧＨｚ範囲を示し、中心周波数付近でＶＳＷＲ値がやや高くなり、インピーダンスサークルは減少している。周波数帯域が図１のチップアンテナ構造に比してやや減少してはいるが、いまだ広帯域（約５２０ＭＨｚ）を維持する。
【００１９】
さらに他の実施の形態として、第２電極パターンの幅（Ｌ３）を減少させたチップアンテナにおいても、図５のグラフに示すように周波数帯域は１．９４〜２．５３ＧＨｚ範囲を有し、中心周波数付近のＶＳＷＲ値がやや高くなりながら、インピーダンスサークルが減少している。このように、第１スリットの幅（Ｇ１）を変更させながら各電極パターンの長さ（Ｌ１、Ｌ２）を変更させたり、第２電極パターンの幅（Ｌ３）を変更させることによりチップアンテナの周波数特性を容易に調節できる。
【００２０】
また、本発明の他の実施の形態においては、前記チップアンテナは第１または第２電極パターンに少なくとも一つの追加的なスリットをさらに形成してアンテナ特性を変化させることもできる。該追加的なスリットの位置及び形態を異ならせることにより相異する共振周波数特性の変化を図れる。例えば、前記追加的なスリットを、一端が第１スリットへ開放され他端が前記第２電極パターンの形成された側面の一辺から開放されるよう形成することができる。
【００２１】
これに対して、一端が第２スリットへ開放され他端が前記第１または第２電極パターンの形成された側面の一辺から開放されるよう形成してもよい。また、前記追加的なスリットは前記第１または第２電極パターンにおいて前記第１スリットに平行な２辺を連結するよう形成してもよい。例えば、前記第２電極パターン領域が前記接地ポート領域を含む電極パターン領域と前記第２スリットと接する電極パターン領域とに分離されべく追加的なスリットを形成することもできる。該追加的なスリットは第１または第２電極パターンのうち誘電体ブロックの側面に該当する領域に形成することがより容易である。
【００２２】
かかる一形態として、図６は本発明の他の実施の形態として追加的なスリットにより超広帯域が具現可能なチップアンテナを示す。図６によると、前記チップアンテナ６０は図１に示すように第１主面（６１ａ）と第２主面（６１ｂ）各々に第１及び第２スリット（Ｓ１１、Ｓ１２）が形成され、該第１及び第２スリット（Ｓ１１、１２）により区分される第１電極パターン６４と第２電極パターン６６が形成される。前記第１電極パターン６４は図１における第１電極パターン３４のように、第１主面の給電ポート領域６４ａからその隣接した側面全体を経て第２主面の第２スリットまで形成された大面積のパターンを有する。それに対して第２電極パターン６６は、第２主面の接地ポート領域６６ａからその隣接した側面を経て第２主面の第２スリットまで延長されたパターンを有する。また、第２電極パターン６６は追加的な第３スリット（Ｓ１３）により第３電極パターン６６’と離隔された構造を成す。前記第３スリット（Ｓ１３）は一端が第１スリット（Ｓ１１）に連結され他端が側面上の一辺へ開放された構造であるが、これはアンテナ特性を考慮して多様な形態に変形できるもので、追加的なスリットをさらに形成することができる。
【００２３】
図６のチップアンテナ６０における周波数帯域特性は図７のグラフに示してある。図７によると、ＶＳＷＲ値が２．０以下の帯域は約１．７〜２．５５ＧＨｚ帯域と約２．８８〜４．０ＧＨｚ帯域に現れるが、両帯域間周波数帯域（約２．５５〜２．８８ＧＨｚ）もＶＳＷＲ値が２．５以下なので実質的に使用可能な周波数帯域である。したがって、前記チップアンテナは約１．７〜４．０ＧＨｚ範囲において共振可能な約２３００ＭＨｚのバンド幅を有する超広帯域チップアンテナに成り得る。
【００２４】
さらに、本発明によるチップアンテナは、第１及び／または第２電極パターン、あるいは第３スリットを追加した実施の形態の場合に第１、第２及び／または第３電極パターン（第１、第２及び第３電極パターンまたは第１、第２若しくは第３電極パターン）に、任意のオープン領域を追加的に形成して共振周波数及びインピーダンスなどのアンテナ特性を調節する機能を働く。
【００２５】
例えば、前記オープン領域の構造は要求される周波数特性に応じて多様に選択することができる。例えば、一端が前記第１または第２電極パターン内部に含まれ他端が前記第１または第２電極パターンと隣接した他側面に開放されるよう形成してもよく、オープン領域全体が前記第１または第２電極パターン内に含まれるように形成してもよい。
【００２６】
これと同様、前記オープン領域の形成位置も多様に選択することができる。即ち、前記第１主面または前記第２主面に形成することができ、これはそれと隣接した側面に延長するよう形成してもよく、該側面に限って形成してもよい。
【００２７】
このように第２電極パターン８６にオープン領域（Ｏ）が形成されたチップアンテナ８０は図８に示すとおりである。図８のチップアンテナ８０は、誘電体ブロック８１の第１主面８１ａと第２主面８１ｂに各々形成された第１及び第２スロット（スリット：Ｓ２１、Ｓ２２）に沿って、給電ポート領域８４ａを含む一側には第１電極パターン８４が形成され、接地ポート領域８６ａを含む他側には第２電極パターン８６が形成された構造を有する。また、第２電極パターン８６は第２主面８１ｂの一領域から前記第２主面と隣接した側面まで延長されたオープン領域（Ｏ）を含む。前記オープン領域（Ｏ）は先に説明したとおりスリットと区別されるスロット形態として、一端は第２電極パターン８６内部にあり他端は開放された構造から成る。
【００２８】
このように本発明のチップアンテナは、誘電体ブロックの第１及び第２主面全体と前記第１及び第２主面間の対向する側面全体に電極パターンを形成した後、前記第１主面と前記第２主面に各々第１及び第２スリットを向き合った２辺が連結されるよう形成する。こうして前記電極パターンは第１電極パターンと第２電極パターンに分離される構造となる。ここで、前記第１電極パターンと第２電極パターンは、第１スリットにより接地ポート領域と端子ポート領域とを電気的に分離し、前記第２スリットにより連続的なＥＭカップリングを連結する。したがって、両電極パターンは各々給電または接地の役割を果たす同時に放射の役割も果たすことができる。
【００２９】
こうして、同一寸法の従来ＰＩＦＡ構造から成るアンテナに比べて、実質的に長い共振長さを有する電極が形成され、より低い周波数帯域でも共振可能で、第２スリットを通して連続的にＥＭカップリングを具現できることからより高い周波数帯域までその範囲を拡張できる。結果として、本発明はチップアンテナの寸法を増加させずとも広帯域を具現することができ、ひいては超広帯域を具現することによりマルチバンド特性も同時に有すことができる。
【００３０】
さらに、本発明は図３ないし図８において説明したように、多様なチューニング因子を有することができる。とりわけ、スリット幅と電極パターン長さまたは第２電極パターン幅はもちろん、第２電極パターンに追加的なスリットを形成したりオープン領域を調節することにより共振周波数及び帯域幅の特性を容易に調節することができる。
【００３１】
このように、本発明は上述した実施の形態及び添付の図面により限定されるものではなく、添付の請求の範囲により限定されるもので、請求の範囲に記載された本発明の技術的思想を外れない範囲内において多様な形態の置換、変形及び変更が可能であることは当技術分野において通常の知識を有する者にとって自明である。
【００３２】
【発明の効果】
上述のように、本発明のチップアンテナによると、給電または接地の役割と共に放射の役割を果たす第１及び第２電極パターンを備え、前記第１電極パターンを第１スリットに対応する長さに延長させることによりそのパターン面積を大きくさせ、前記第２電極パターンとは第２スリットを通して連続的な共振長さを形成することにより低周波数帯域から高周波数帯域までより幅広い周波数帯域を確保できる。かかる広帯域特性はマルチバンド特性を具現させ得る超広帯域特性を備えられる利点がある。また、本発明のチップアンテナにおいては、スリット幅と電極パターン長さを変形させたり追加的なスリットまたはオープン領域を形成することにより周波数特性を容易に調整することができる。
【図面の簡単な説明】
【図１】本発明の一実施の形態によるチップアンテナの概略斜視図である。
【図２】図１におけるチップアンテナのＶＳＷＲ特性グラフである。
【図３】本発明によるチップアンテナのチューニング因子を説明するためのＶＳＷＲ特性グラフである。
【図４】本発明によるチップアンテナのチューニング因子を説明するためのＶＳＷＲ特性グラフである。
【図５】本発明によるチップアンテナのチューニング因子を説明するためのＶＳＷＲ特性グラフである。
【図６】本発明の他の実施の形態によるチップアンテナの概略斜視図である。
【図７】図６におけるチップアンテナのＶＳＷＲ特性グラフである。
【図８】本発明のさらに異なる実施の形態によるチップアンテナの概略斜視図である。
【図９】従来のＰＩＦＡ構造から成るチップアンテナの概略斜視図である。
【図１０】図９におけるチップアンテナのＶＳＷＲ特性グラフである。
【符号の説明】
３０　チップアンテナ
３１　誘電体ブロック
３４　第１電極パターン
３４ａ　給電ポート領域
３６　第２電極パターン
３６ａ　接地ポート領域
Ｓ１　第１スリット
Ｓ２　第２スリット
【図１】
2004007345.tif 000003
【図２】
2004007345.tif 000004
【図３】
2004007345.tif 000005
【図４】
2004007345.tif 000006
【図５】
2004007345.tif 000007
【図６】
2004007345.tif 000008
【図７】
2004007345.tif 000009
【図８】
2004007345.tif 000010
【図９】
2004007345.tif 000011
【図１０】
2004007345.tif 000012